(57)【要約】【課題】ビーズを１つずつ摘んだり、それを爪まで運んだりする作業が不要で、ビーズの取扱いが容易なネイルアート用ビーズ吐出器を提供すること。【解決手段】ペン形ケースを備え、このペン形ケースの後端側には球形ビーズを収容可能なビーズ収容部が設けられ、前記ペン形ケースの先端側には球形ビーズを先端のビーズ吐出開口に導くビーズ案内部が設けられ、前記ペン形ケースの中程には球形ビーズを前記ビーズ収容部側から前記ビーズ案内部側に向けて１つずつ供給するビーズ送り手段が設けられ、さらに、前記ビーズ吐出開口を閉塞する方向に付勢され手動操作によってその付勢力に抗して動作して当該ビーズ吐出開口を開放するビーズ吐出開口開閉手段が設けられていることを特徴とする。【選択図】図１
2005204821.tif 000002
【特許請求の範囲】
【請求項１】
ペン形ケースを備え、このペン形ケースの後端側には球形ビーズを収容可能なビーズ収容部が設けられ、前記ペン形ケースの先端側には球形ビーズを先端のビーズ吐出開口に導くビーズ案内部が設けられ、前記ペン形ケースの中程には球形ビーズを前記ビーズ収容部側から前記ビーズ案内部側に向けて１つずつ供給するビーズ送り手段が設けられ、さらに、前記ビーズ吐出開口を閉塞する方向に付勢され手動操作によってその付勢力に抗して動作して当該ビーズ吐出開口を開放するビーズ吐出開口開閉手段が設けられていることを特徴とするネイルアート用ビーズ吐出器。
【請求項２】
前記ビーズ送り手段は、外周部の一部が前記ペン形ケースから突出するように設けられ手動操作によって回転するダイヤルと、外周に球形ビーズを収容可能な凹部を有しており前記ダイヤルと連動して動作するビーズ送り円板とを備え、前記ダイヤルの回転によって、前記ビーズ収容部の球形ビーズを前記ビーズ送り円板の凹部で捕捉し、その球形ビーズを前記ビーズ案内部側で解放するように構成されていることを特徴とする請求項１に記載のネイルアート用ビーズ吐出器。
【請求項３】
前記ビーズ吐出開口開閉手段は、先端に前記ビーズ吐出開口を開閉する蓋部と、後端部に手動操作のための操作部と備え、前記蓋部はスプリングの付勢力によって前記ビーズ吐出開口を閉塞する方向に付勢され、前記操作部の手動操作によって前記スプリングの付勢力に抗して前記蓋部を動作して当該蓋部を前記ビーズ吐出開口から離反させることによって開放するように構成されていることを特徴とする請求項１または２のいずれかに記載のネイルアート用ビーズ吐出器。
【発明の詳細な説明】
【技術分野】
【０００１】
本発明は、ネイルアート用ビーズ吐出器に関するものである。
【背景技術】
【０００２】
近年、爪に装飾を施す、いわゆるネイルアートが盛んに行われている。このネイルアートでは、一般に、爪の上にインクを噴射し、爪の表面にインクで着色することが行われている（例えば、特許文献１参照）。また、公知文献としては見あたらないが、インクの着色に代えて、或いはインクの直食に加えてラメを爪の表面に貼ったり、ビーズを爪に付着させる場合がある。その際、ビーズをピンセットで摘まんで爪上まで運び、該ピンセットによって爪にビーズを乗せて付着させている。
【特許文献１】特開２００１−３１４２２６号公報
【発明の開示】
【発明が解決しようとする課題】
【０００３】
しかし、ピンセットでビーズを爪に付着させる場合、次のような問題がある。ビーズ自体が小さいため、ビーズをピンセットによって摘むのが難しい。また、ビーズを摘んだとしてもそのビーズを落とすことなく爪上まで落とすことなく運ばなければならない。このようにビーズの取扱いが従来困難であった。
【０００４】
本発明は、かかる問題点に鑑みなされたもので、ビーズの取扱いが容易なネイルアート用ビーズ吐出器を提供することを目的とする。
【課題を解決するための手段】
【０００５】
請求項１に記載のネイルアート用ビーズ吐出器は、ペン形ケースを備え、このペン形ケースの後端側には球形ビーズを収容可能なビーズ収容部が設けられ、前記ペン形ケースの先端側には球形ビーズを先端のビーズ吐出開口に導くビーズ案内部が設けられ、前記ペン形ケースの中程には球形ビーズを前記ビーズ収容部側から前記ビーズ案内部側に向けて１つずつ供給するビーズ送り手段が設けられ、さらに、前記ビーズ吐出開口を閉塞する方向に付勢され手動操作によってその付勢力に抗して動作して当該ビーズ吐出開口を開放するビーズ吐出開口開閉手段が設けられていることを特徴とする。
【０００６】
請求項２に記載のネイルアート用ビーズ吐出器は、請求項１に記載のネイルアート用ビーズ吐出器において、前記ビーズ送り手段は、外周部の一部が前記ペン形ケースから突出するように設けられ手動操作によって回転するダイヤルと、外周に球形ビーズを収容可能な凹部を有しており前記ダイヤルと連動して動作するビーズ送り円板とを備え、前記ダイヤルの回転によって、前記ビーズ収容部の球形ビーズを前記ビーズ送り円板の凹部で捕捉し、その球形ビーズを前記ビーズ案内部側で解放するように構成されていることを特徴とする。この場合、ダイヤルは、ペン形ケースを握った状態で人差し指で操作できる位置に設けることが好ましい。また、ダイヤルによって球形ビーズを１つ供給するごとにクリック感が醸し出されるように構成することが好ましい。
【０００７】
請求項３に記載のネイルアート用ビーズ吐出器は、請求項１または２に記載のネイルアート用ビーズ吐出器の発明において、前記ビーズ吐出開口開閉手段は、先端に前記ビーズ吐出開口を開閉する蓋部と、後端部に手動操作のための操作部と備え、前記蓋部はスプリングの付勢力によって前記ビーズ吐出開口を閉塞する方向に付勢され、前記操作部の手動操作によって前記スプリングの付勢力に抗して前記蓋部を動作して当該蓋部を前記ビーズ吐出開口から離反させることによって開放するように構成されていることを特徴とする。この場合、操作部は、ペン形ケースを握った状態で人差し指で操作できる位置に設けることが好ましい。
【発明の効果】
【０００８】
請求項１に記載のネイルアート用ビーズ吐出器によれば、球形ビーズをケース内に収容しておき、それを１つずつ爪上に吐出させることができる。その結果、ビーズの取扱いが容易となり、ネイルアートの作業性も向上することになる。
【０００９】
請求項２に記載のネイルアート用ビーズ吐出器によれば、ダイヤルを回転させることによって球形ビーズをビーズ案内部に１つずつ確実に供給することができる。
【００１０】
請求項３に記載のネイルアート用ビーズ吐出器によれば、操作部を操作しない限り、ペン形ケースから球形ビーズが吐出されることはない。その結果、ビーズの取扱いが容易となる。
【発明を実施するための最良の形態】
【００１１】
以下に、本発明に係るネイルアート用ビーズ吐出器を図面を参照しながら説明する。
図１は、本発明に係るネイルアート用ビーズ吐出器を示した斜視図、図２は、図１におけるＡ−Ａ線断面図、図３は、図１におけるＢ−Ｂ線断面図である。
【００１２】
このネイルアート用ビーズ吐出器（以下、ビーズ吐出器という）１はペン形ケース２を備えている。このペン形ケース２は親指と中指との間で挟み込める程度の径となっており、先端部が先細りに形成されている。また、このペン形ケース２の後端にはキャップ３が着脱自在に装着されている。そして、キャップ３を取り外すことによって球形ビーズ３０をペン形ケース２内に収容できるようになっている。また、ペン形ケース２の先端部には球形ビーズ３０を吐出するためのビーズ吐出開口４が形成されている。
【００１３】
ペン形ケース２の内部の長手方向中間部には、ビーズ送り手段５が配設され、このビーズ送り手段５によって、ペン形ケース２の内部が、上記キャップ３を含むビーズ収容部６と、上記ビーズ吐出開口４を含むビーズ案内部７とに分離されている。
【００１４】
ビーズ送り手段５は、大径のダイヤル８と、このダイヤル８と同心状に設けられた小径のビーズ送り円板９とを有している。ダイヤル８とビーズ送り円板９は、軸１０によってペン形ケース２の周壁側部に回転自在に配設されている。そして、ダイヤル８の外周部の一部は、ペン形ケース２の周壁上部に形成した孔１１から外部に突出し、その突出部分を利用してダイヤル８を手動操作するようになっている。
【００１５】
このダイヤル８の外周面には、平行ローレット８ａが形成されている。平行ローレット８ａはダイヤル８の操作性の向上にとめに設けたものである。一方、ビーズ送り円板９の周面には、球形ビーズ３０の径よりも大きな幅をもった凹部１２が等間隔に配設されている。この凹部１２は球形ビーズ３０を捕捉するためのものである。
【００１６】
また、ビーズ送り手段５では、ビーズ送り円板９の凹部１２に係合可能な突子１３が設けられている。この突子１３はスプリング１３ａに付勢されて前記凹部１２に係合しており、ダイヤル８の回転方向の位置決めを行うとともに、ダイヤル８の回転の際にクリック感を醸し出すようにしている。なお、この突子１３に代えて、或いは突子１３に加えてダイヤル８の外周面の平行ローレット８ａに当接する弾性片を設け、ダイヤル８の回転の際にその弾性片が平行ローレット８ａにて弾かれて音がでるような構成にしてもよい。また、ラチェット機構を設けてダイヤルの逆転を防止するような構成としてもよい。
【００１７】
さらに、このビーズ吐出器１では、ビーズ送り手段５によって、ビーズ収容部６とビーズ案内部７とを完全に分離するために、図３に示したように、ダイヤル８とペン形ケース２の周壁との間、およびビーズ送り円板９とペン形ケース２の周壁との間に、それぞれ隔壁１４，１５を張設するとともに、ビーズ送り円板９の下方の周壁に、ビーズ収容部６からビーズ送り円板９の凹部１２に球形ビーズ３０を導くための案内壁１６を形成している。
【００１８】
また、ペン形ケース２の前部には、常態ではビーズ吐出開口４を閉塞し、手動操作することによってビーズ吐出開口４を開放するビーズ吐出開口開閉手段１７が配設されている。
【００１９】
このビーズ吐出開口開閉手段１７、ペン形ケース２のビーズ案内部７の周壁上部の形状に倣った形状を成し、先端に、上記ビーズ吐出開口４を塞ぐ蓋部１８ａを有し、後端部に、人差し指を受止める操作部１８ｂを有するレバー１８を備えている。そして、このレバー１８は、ペン形ケース２の周壁上部に形成された孔１９に配置され、ペン形ケース２のビーズ案内部７の上部を構成するとともに、軸２０を介してペン形ケース２に揺動自在に支持され、レバー操作部１８ｂとペン形ケース２との間に介装したスプリング２１の付勢力によって、蓋部１８ａはビーズ吐出開口４を塞いだ状態に維持される。
【００２０】
このように構成されたビーズ吐出器１では、キャップ３を外してビーズ収容部６に球形ビーズを入れ、キャップ３を装着して球形ビーズ３０をビーズ収容部６に収容する。
この状態のビーズ吐出器１のビーズ収容部６の周壁を、親指と中指で挟み込んで把持し、ビーズ吐出器１を、先端を下方に向けた状態で、人差し指でダイヤル８を回転させる。すると、ダイヤル８の回転に伴なってビーズ送り円板９が回転し、該ビーズ送り円板の凹部１２によって球形ビーズ３０が掻き取られ、その球形ビーズ３０はビーズ案内部７に送り込まれる。
この状態のビーズ吐出器１の先端を爪の球形ビーズ３０を付着させる位置に当て、人差し指で操作レバー１８をスプリング２１の付勢力に抗して作動させ、蓋部１８ａをペン形ケース２のビーズ吐出開口４から離反開放する。すると、ビーズ案内部７に位置する球形ビーズ３０がビーズ吐出開口４を介して爪に向けて落下吐出される。
【図面の簡単な説明】
【００２１】
【図１】本発明に係るネイルアート用ビーズ吐出器を示した斜視図である。
【図２】図１におけるＡ−Ａ線断面図である。
【図３】図１におけるＢ−Ｂ線断面図である。
【符号の説明】
【００２２】
１  ネイルアート用ビーズ吐出器
２  ペン形ケース
３  キャップ
４  ビーズ吐出開口
５  ビーズ送り手段
６  ビーズ収容部
７  ビーズ案内部
８  ダイヤル
９  ビーズ送り円板
１２  凹部
１７  ビーズ吐出開口開閉手段
１８ａ  蓋部
１８ｂ  操作部
２１  スプリング
３０  球形ビーズ
【図１】
2005204821.tif 000003
【図２】
2005204821.tif 000004
【図３】
2005204821.tif 000005